(57)【要約】【課題】利用者による事前の行先階の設定を不要にして、利用者の利便性を向上させることができるエレベータの呼び登録装置および呼び登録方法を得る。【解決手段】個人を特定可能な個人ＩＤが登録された非接触タグでエレベータの行先階を登録するエレベータの呼び登録装置であって、非接触タグに登録された個人ＩＤを受信する非接触タグ情報受信部と、個人ＩＤ毎に、個人が乗車した乗車階と、個人が登録した行先階の登録回数とを集計したＩＤ別登録階管理データと、非接触タグ情報受信部で個人ＩＤが受信された場合に、個人が乗車した乗車階に対して、個人が登録した行先階のうち、最も多く登録されている階床を、行先階として登録する登録階管理部とを備えたものである。【選択図】図１
2015020895.tif 000002
【特許請求の範囲】
【請求項１】
個人を特定可能な個人ＩＤが登録された非接触タグでエレベータの行先階を登録するエレベータの呼び登録装置であって、
前記非接触タグに登録された前記個人ＩＤを受信する非接触タグ情報受信部と、
前記個人ＩＤ毎に、前記個人が乗車した乗車階と、前記個人が登録した行先階の登録回数とを集計したＩＤ別登録階管理データと、
前記非接触タグ情報受信部で前記個人ＩＤが受信された場合に、前記個人が乗車した乗車階に対して、前記個人が登録した行先階のうち、最も多く登録されている階床を、行先階として登録する登録階管理部と、
を備えたエレベータの呼び登録装置。
【請求項２】
エレベータの乗場に設けられ、行先階を手動で登録するとともに、キャンセル操作を受け付ける行先階登録部をさらに備え、
前記登録階管理部は、前記行先階登録部でキャンセル操作を受け付けた場合に、前記個人ＩＤおよび前記個人が乗車した乗車階に基づく行先階の登録をキャンセルする
請求項１に記載のエレベータの呼び登録装置。
【請求項３】
前記登録階管理部は、前記個人ＩＤおよび前記個人が乗車した乗車階に基づく行先階の登録がキャンセルされた場合に、前記行先階登録部で前記個人によって行先階が登録されたときに、前記個人が登録した行先階を、前記ＩＤ別登録階管理データに集計する
請求項２に記載のエレベータの呼び登録装置。
【請求項４】
前記登録階管理部は、前記個人が登録した行先階を、前記ＩＤ別登録階管理データに集計した結果、最も多く登録されている行先階が変化した場合に、前記個人ＩＤおよび前記個人が乗車した乗車階に基づいて登録される行先階を更新する
請求項３に記載のエレベータの呼び登録装置。
【請求項５】
前記登録階管理部は、前記非接触タグ情報受信部で前記個人ＩＤが受信された場合に、前記ＩＤ別登録階管理データ中に該当する個人ＩＤがない場合に、当該個人の個人ＩＤに対応する集計データを、カウント値ゼロで作成する
請求項１から請求項４までの何れか１項に記載のエレベータの呼び登録装置。
【請求項６】
個人を特定可能な個人ＩＤが登録された非接触タグでエレベータの行先階を登録するエレベータの呼び登録装置で実行されるエレベータの呼び登録方法であって、
前記非接触タグに登録された前記個人ＩＤを受信する受信ステップと、
前記個人ＩＤおよび前記個人が乗車した乗車階に基づいて、前記個人ＩＤ毎に、前記個人が乗車した乗車階と、前記個人が登録した行先階の登録回数とを集計したＩＤ別登録階管理データから、最も多く登録されている階床を選択する選択ステップと、
前記選択ステップで選択された階床を、行先階として登録する登録ステップと、
を有するエレベータの呼び登録方法。
【発明の詳細な説明】
【技術分野】
【０００１】
この発明は、個人を特定可能なＩＤが登録された非接触タグでエレベータの行先階を登録するエレベータの呼び登録装置および呼び登録方法に関する。
【背景技術】
【０００２】
従来、エレベータの利用者によって携帯される携帯端末を用いて行先階を登録するシステムであって、携帯端末に内蔵されたＧＰＳ機能によって利用者の位置を特定し、利用者がエレベータに近づいた際に、携帯端末であらかじめ設定された行先階を登録するエレベータシステムが知られている（例えば、特許文献１参照）。
【０００３】
また、複数の行先階を記憶させることができる電子カードを用いて、リーダに電子カードをかざした際に、行先階を選択して登録することができるエレベータの呼び登録システムが知られている（例えば、特許文献２参照）。
【先行技術文献】
【特許文献】
【０００４】
【特許文献１】特開２００５−２８０９０６号公報
【特許文献２】特開２０１０−２２８８５９号公報
【発明の概要】
【発明が解決しようとする課題】
【０００５】
しかしながら、従来技術には、以下のような課題がある。
特許文献１に記載されたエレベータシステムでは、非接触にエレベータの行先階を登録することができるものの、利用者が行先階を毎回事前に設定する必要があるという問題がある。
【０００６】
また、特許文献２に記載されたエレベータの呼び登録システムでは、特許文献１と同様に、非接触にエレベータの行先階を登録することができるものの、利用者が行先階を事前に電子カードに設定しておく必要があり、かつ利用者が毎回乗場でどの行先階を登録するかを選択する必要があるという問題がある。
【０００７】
この発明は、上記のような課題を解決するためになされたものであり、利用者による事前の行先階の設定を不要にして、利用者の利便性を向上させることができるエレベータの呼び登録装置および呼び登録方法を得ることを目的とする。
【課題を解決するための手段】
【０００８】
この発明に係るエレベータの呼び登録装置は、個人を特定可能な個人ＩＤが登録された非接触タグでエレベータの行先階を登録するエレベータの呼び登録装置であって、非接触タグに登録された個人ＩＤを受信する非接触タグ情報受信部と、個人ＩＤ毎に、個人が乗車した乗車階と、個人が登録した行先階の登録回数とを集計したＩＤ別登録階管理データと、非接触タグ情報受信部で個人ＩＤが受信された場合に、個人が乗車した乗車階に対して、個人が登録した行先階のうち、最も多く登録されている階床を、行先階として登録する登録階管理部とを備えたものである。
【０００９】
また、この発明に係るエレベータの呼び登録方法は、個人を特定可能な個人ＩＤが登録された非接触タグでエレベータの行先階を登録するエレベータの呼び登録装置で実行されるエレベータの呼び登録方法であって、非接触タグに登録された個人ＩＤを受信する受信ステップと、個人ＩＤおよび個人が乗車した乗車階に基づいて、個人ＩＤ毎に、個人が乗車した乗車階と、個人が登録した行先階の登録回数とを集計したＩＤ別登録階管理データから、最も多く登録されている階床を選択する選択ステップと、選択ステップで選択された階床を、行先階として登録する登録ステップとを有するものである。
【発明の効果】
【００１０】
この発明に係るエレベータの呼び登録装置によれば、登録階管理部は、非接触タグ情報受信部で個人ＩＤが受信された場合に、個人が乗車した乗車階に対して、個人が登録した行先階のうち、最も多く登録されている階床を、行先階として登録する。
そのため、利用者による事前の行先階の設定を不要にして、利用者の利便性を向上させることができる。
【図面の簡単な説明】
【００１１】
【図１】この発明の実施の形態１に係るエレベータの呼び登録装置を示す全体構成図である。
【図２】この発明の実施の形態１に係るエレベータの呼び登録装置の登録行先階管理部を詳細に示すブロック構成図である。
【図３】この発明の実施の形態１に係るエレベータの呼び登録装置のＩＤ別登録階管理データを例示する説明図である。
【図４】この発明の実施の形態１に係るエレベータの呼び登録装置の登録階管理部の動作を示すフローチャートである。
【発明を実施するための形態】
【００１２】
以下、この発明に係るエレベータの呼び登録装置および呼び登録方法の好適な実施の形態につき図面を用いて説明するが、各図において同一、または相当する部分については、同一符号を付して説明する。
【００１３】
実施の形態１．
図１は、この発明の実施の形態１に係るエレベータの呼び登録装置を示す全体構成図である。図１において、このエレベータの呼び登録装置は、非接触タグ情報受信部１、行先階登録部２、情報表示部３、登録行先階管理部４およびエレベータ制御部５を備えている。
【００１４】
非接触タグ情報受信部１は、エレベータの利用者によって携帯される非接触タグに登録された個人の個人ＩＤを受信する。行先階登録部２は、エレベータの行先階を登録する。情報表示部３は、エレベータの情報を表示する。
【００１５】
登録行先階管理部４は、非接触タグ情報受信部１、行先階登録部２および情報表示部３からの情報を受信して、エレベータに登録する行先階や情報表示部３への表示内容を送信する。エレベータ制御部５は、エレベータを実際に制御する。
【００１６】
なお、行先階登録部２は、１０キーで利用者が行先階を入力する操作盤であったり、行先階のボタンが並んでいて、その中から利用者が行先階を選択する操作盤であったりし、入力をキャンセルするキャンセルボタンが設けられている。
【００１７】
図２は、この発明の実施の形態１に係るエレベータの呼び登録装置の登録行先階管理部４を詳細に示すブロック構成図である。図２において、登録行先階管理部４は、登録階管理部４１、ＩＤ読み取り部４２、行先階受信部４３、ＩＤ別登録階管理データ４４、表示内容送信部４５および行先階登録部４６を有している。
【００１８】
登録階管理部４１は、登録行先階管理部４の各部からの通知を受け取るとともに、各部へ通知を行い、登録行先階管理部４の中心的処理を行う。ＩＤ読み取り部４２は、非接触タグ情報受信部１で受信した非接触タグの個人ＩＤと、その個人ＩＤを認証した階床の情報とを受信して、登録階管理部４１に通知する。
【００１９】
行先階受信部４３は、行先階登録部２で登録された登録階およびキャンセルボタンの押下情報を受信して、登録階管理部４１に通知する。ＩＤ別登録階管理データ４４は、乗車階と、その際登録された行先階の登録回数とを、利用者の個人ＩＤ毎に一定期間集計したデータである。具体的なＩＤ別登録階管理データ４４の内容を図３に例示する。
【００２０】
表示内容送信部４５は、登録階管理部４１から通知される登録予定行先階、キャンセル、行先階、行先階登録指示を情報表示部３に送信する。行先階登録部４６は、登録階管理部４１から通知される行先階を、エレベータ制御部５に送信する。
【００２１】
すなわち、この発明の実施の形態１に係るエレベータの呼び登録装置は、個人を特定可能な個人ＩＤが登録された非接触タグでエレベータの行先階を登録するエレベータの呼び登録装置であって、個人ＩＤ毎にその利用者がどの乗場階からどの行先階を登録したのかをカウントして集計したデータを有している。
【００２２】
ここで、登録階管理部４１は、非接触タグで利用者が認識された場合には、その利用者が最も多く登録している行先階を、自動的に行先階に登録する。なお、登録階管理部４１は、利用者が、その利用者が最も多く登録している行先階ではない階床を登録したい場合に、キャンセル操作を行うことで、別の階床を登録できるようにする。このとき、その登録された行先階が集計データにカウントされ、最も多く登録している行先階が変化したらデータを更新する。
【００２３】
また、登録階管理部４１は、初めてこのエレベータを利用する利用者が認識された場合には、その利用者の個人ＩＤに対する集計データをカウント値ゼロで作成し、利用者に行先階の登録を促すことにより、利用者に手動で行先階を登録させる。このとき、その登録された行先階が集計データにカウントされ、最も多く登録している行先階を更新する。
【００２４】
以下、図４のフローチャートを参照しながら、この発明の実施の形態１に係るエレベータの呼び登録装置の登録階管理部４１の動作について説明する。
【００２５】
前提として、乗場に非接触タグを持った利用者が発生すると、非接触タグ情報受信部１が非接触タグの情報を読み取り、非接触タグの個人ＩＤと、その個人ＩＤを受信した階床を登録行先階管理部４に送信する。
【００２６】
まず、登録階管理部４１は、ＩＤ読み取り部４２で非接触タグ情報受信部１からのデータを受信したか否かを判定する（ステップＳ１）。
【００２７】
ステップＳ１において、ＩＤ読み取り部４２で非接触タグ情報受信部１からのデータを受信していない（すなわち、Ｎｏ）と判定された場合には、登録階管理部４１は、行先階受信部４３で行先階登録部２からのデータ（行先階）を受信したか否かを判定する（ステップＳ２）。
【００２８】
ステップＳ２において、行先階受信部４３で行先階登録部２からの行先階を受信していない（すなわち、Ｎｏ）と判定された場合には、登録階管理部４１は、そのまま図４の処理を終了する。
【００２９】
一方、ステップＳ２において、行先階受信部４３で行先階登録部２からの行先階を受信した（すなわち、Ｙｅｓ）と判定された場合には、登録階管理部４１は、行先階登録部４６に、行先階受信部４３から受信した行先階を送信するとともに（ステップＳ３）、表示内容送信部４５に、行先階受信部４３から受信した行先階を送信して（ステップＳ４）、図４の処理を終了する。
【００３０】
一方、ステップＳ１において、ＩＤ読み取り部４２で非接触タグ情報受信部１からのデータを受信した（すなわち、Ｙｅｓ）と判定された場合には、登録階管理部４１は、ＩＤ別登録階管理データ４４から、受信した個人ＩＤのデータを検索し（ステップＳ５）、該当する個人ＩＤ（該当ＩＤ）があるか否かを判定する（ステップＳ６）。
【００３１】
ステップＳ６において、該当ＩＤがある（すなわち、Ｙｅｓ）と判定された場合には、初めての利用者ではないとして、登録階管理部４１は、非接触タグから読み込んだ個人ＩＤに対して、ＩＤ別登録階管理データ４４から該当ＩＤの行先階（登録予定行先階）を取得し（ステップＳ７）、表示内容送信部４５に登録予定行先階を送信する（ステップＳ８）。
【００３２】
これにより、表示内容送信部４５は、情報表示部３に登録予定行先階を送信し、情報表示部３は、登録予定行先階を受信すると、例えば「〜階を登録します」のような表示を一定時間表示させる。
【００３３】
続いて、登録階管理部４１は、時限タイマのカウントダウンをスタートし（ステップＳ９）、行先階受信部４３で行先階登録部２からのデータを受信したか否かを判定する（ステップＳ１０）。
【００３４】
ステップＳ１０において、行先階受信部４３で行先階登録部２からのデータを受信していない（すなわち、Ｎｏ）と判定された場合には、登録階管理部４１は、時限タイマの時間内であるか否かを判定する（ステップＳ１１）。
【００３５】
ステップＳ１１において、時限タイマの時間内である（すなわち、Ｙｅｓ）と判定された場合には、ステップＳ１０に移行して、登録階管理部４１は、再度行先階受信部４３で行先階登録部２からのデータを受信したか否かを判定する。
【００３６】
一方、ステップＳ１１において、時限タイマの時間内でない（すなわち、Ｎｏ）と判定された場合には、登録階管理部４１は、登録予定行先階を行先階として、該当ＩＤの該当乗車階に対する行先階登録回数の登録予定行先階における「今日」の回数を１つ増やし、当該階床の合計値が最も大きい数になる場合には、ＩＤ別登録階管理データ４４の「行先階」の階床を、今回の行先階（登録予定行先階）に設定する（ステップＳ１２）。
【００３７】
次に、登録階管理部４１は、行先階登録部４６に、ＩＤ別登録階管理データ４４の該当する「行先階」を送信し（ステップＳ１３）、これにより、行先階登録部４６が、エレベータ制御部５に行先階を送信することによって、エレベータに登録階が設定される。
【００３８】
続いて、登録階管理部４１は、表示内容送信部４５に登録予定行先階を行先階として送信し（ステップＳ１４）、図４の処理を終了する。
【００３９】
これにより、表示内容送信部４５は、情報表示部３に行先階を送信し、情報表示部３は、行先階を受信すると、例えば「〜階を登録しました」のような表示を一定時間表示させる。
【００４０】
一方、ステップＳ１０において、行先階受信部４３で行先階登録部２からのデータを受信した（すなわち、Ｙｅｓ）と判定された場合には、登録階管理部４１は、行先階受信部４３で受信したデータがキャンセルであるか否かを判定する（ステップＳ１５）。
【００４１】
ステップＳ１５において、行先階受信部４３で受信したデータがキャンセルではない（すなわち、Ｎｏ）と判定された場合には、登録階管理部４１は、行先階受信部４３で受信したデータが行先階であるか否かを判定する（ステップＳ１６）。
【００４２】
ステップＳ１６において、行先階受信部４３で受信したデータが行先階でない（すなわち、Ｎｏ）と判定された場合には、上述したステップＳ１１に移行して、登録階管理部４１は、時限タイマの時間内であるか否かを判定する。
【００４３】
一方、ステップＳ１６において、行先階受信部４３で受信したデータが行先階である（すなわち、Ｙｅｓ）と判定された場合には、登録階管理部４１は、該当ＩＤの該当乗車階に対する行先階登録回数の、受信した行先階における「今日」の回数を１つ増やし、当該階床の合計値が最も大きい数になる場合には、ＩＤ別登録階管理データ４４の「行先階」の階床を、今回の行先階に設定する（ステップＳ１７）。
【００４４】
次に、登録階管理部４１は、行先階登録部４６に、行先階受信部４３で受信した行先階を送信し（ステップＳ１８）、これにより、行先階登録部４６が、エレベータ制御部５に行先階を送信することによって、エレベータに登録階が設定される。
【００４５】
続いて、登録階管理部４１は、表示内容送信部４５に行先階受信部４３で受信した行先階を送信し（ステップＳ１９）、図４の処理を終了する。
【００４６】
これにより、表示内容送信部４５は、情報表示部３に行先階を送信し、情報表示部３は、行先階を受信すると、例えば「〜階を登録しました」のような表示を一定時間表示させる。
【００４７】
一方、ステップＳ１５において、行先階受信部４３で受信したデータがキャンセルである（すなわち、Ｙｅｓ）と判定された場合には、登録階管理部４１は、表示内容送信部４５にキャンセルを送信する（ステップＳ２０）。
【００４８】
これにより、表示内容送信部４５は、情報表示部３にキャンセルを送信し、情報表示部３は、キャンセルを受信すると、例えば「登録をキャンセルします」のような表示を一定時間表示させる。
【００４９】
次に、登録階管理部４１は、行先階受信部４３で行先階登録部２からのデータを受信したか否かを判定する（ステップＳ２１）。
【００５０】
ステップＳ２１において、行先階受信部４３で行先階登録部２からのデータを受信していない（すなわち、Ｎｏ）と判定された場合には、登録階管理部４１は、時限タイマの時間内であるか否かを判定する（ステップＳ２２）。
【００５１】
ステップＳ２２において、時限タイマの時間内である（すなわち、Ｙｅｓ）と判定された場合には、ステップＳ２１に移行して、登録階管理部４１は、再度行先階受信部４３で行先階登録部２からのデータを受信したか否かを判定する。
【００５２】
一方、ステップＳ２２において、時限タイマの時間内でない（すなわち、Ｎｏ）と判定された場合には、登録階管理部４１は、そのまま図４の処理を終了する。
【００５３】
一方、ステップＳ２１において、行先階受信部４３で行先階登録部２からのデータを受信した（すなわち、Ｙｅｓ）と判定された場合には、登録階管理部４１は、行先階受信部４３で受信したデータが行先階であるか否かを判定する（ステップＳ２３）。
【００５４】
ステップＳ２３において、行先階受信部４３で受信したデータが行先階ではない（すなわち、Ｎｏ）と判定された場合には、ステップＳ２２に移行して、登録階管理部４１は、時限タイマの時間内であるか否かを判定する。
【００５５】
一方、ステップＳ２３において、行先階受信部４３で受信したデータが行先階である（すなわち、Ｙｅｓ）と判定された場合には、ステップＳ１７に移行して、登録階管理部４１は、ＩＤ別登録階管理データ４４の「行先階」の階床を、今回の行先階に設定する。
【００５６】
一方、ステップＳ６において、該当ＩＤがない（すなわち、Ｎｏ）と判定された場合には、初めての利用者であるとして、登録階管理部４１は、該当ＩＤの新たなデータを作成する（ステップＳ２４）。このとき、登録階管理部４１は、最初に作成するデータの集計値をすべて「０」に設定する。
【００５７】
続いて、登録階管理部４１は、表示内容送信部４５に行先階登録指示を送信する（ステップＳ２５）。
【００５８】
これにより、表示内容送信部４５は、情報表示部３に行先階登録指示を送信し、情報表示部３は、行先階登録指示を受信すると、例えば「行先階を登録して下さい」のような、利用者に行先階の登録を促す表示を一定時間表示させる。
【００５９】
次に、登録階管理部４１は、時限タイマのカウントダウンをスタートし（ステップＳ２６）、行先階受信部４３で行先階登録部２からのデータを受信したか否かを判定する（ステップＳ２７）。
【００６０】
ステップＳ２７において、行先階受信部４３で行先階登録部２からのデータを受信していない（すなわち、Ｎｏ）と判定された場合には、登録階管理部４１は、時限タイマの時間内であるか否かを判定する（ステップＳ２８）。
【００６１】
ステップＳ２８において、時限タイマの時間内である（すなわち、Ｙｅｓ）と判定された場合には、ステップＳ２７に移行して、登録階管理部４１は、再度行先階受信部４３で行先階登録部２からのデータを受信したか否かを判定する。
【００６２】
一方、ステップＳ２８において、時限タイマの時間内でない（すなわち、Ｎｏ）と判定された場合には、登録階管理部４１は、作成した該当ＩＤのＩＤ別登録階管理データ４４を削除して（ステップＳ２９）、図４の処理を終了する。
【００６３】
一方、ステップＳ２７において、行先階受信部４３で行先階登録部２からのデータを受信した（すなわち、Ｙｅｓ）と判定された場合には、登録階管理部４１は、行先階受信部４３で受信したデータが行先階であるか否かを判定する（ステップＳ３０）。
【００６４】
ステップＳ３０において、行先階受信部４３で受信したデータが行先階ではない（すなわち、Ｎｏ）と判定された場合には、ステップＳ２９に移行して、登録階管理部４１は、作成した該当ＩＤのＩＤ別登録階管理データ４４を削除する。
【００６５】
一方、ステップＳ３０において、行先階受信部４３で受信したデータが行先階である（すなわち、Ｙｅｓ）と判定された場合には、ステップＳ１７に移行して、登録階管理部４１は、ＩＤ別登録階管理データ４４の「行先階」の階床を、今回の行先階に設定する。
【００６６】
このように、非接触タグで行先階を自動登録するシステムにおいて、利用者の利用状況によって自動登録する行先階を判断することにより、事前に行先階を設定しておくという作業が不要になり、かつ各個人の利用状況をエレベータ側で持つことにより、個人のＩＤのみが分かればこのシステムを利用することができるので、汎用的な非接触タグを利用することができる。また、頻繁に利用する行先階が変わっても、設定を変更する等の作業が不要になるので、利用者の利便性を向上させることができる。
【００６７】
以上のように、実施の形態１によれば、個人を特定可能な個人ＩＤが登録された非接触タグでエレベータの行先階を登録するエレベータの呼び登録装置であって、非接触タグに登録された個人ＩＤを受信する非接触タグ情報受信部と、個人ＩＤ毎に、個人が乗車した乗車階と、個人が登録した行先階の登録回数とを集計したＩＤ別登録階管理データと、非接触タグ情報受信部で個人ＩＤが受信された場合に、個人が乗車した乗車階に対して、個人が登録した行先階のうち、最も多く登録されている階床を、行先階として登録する登録階管理部とを備えている。
そのため、利用者による事前の行先階の設定を不要にして、利用者の利便性を向上させることができる。
【００６８】
また、エレベータの乗場に設けられ、行先階を手動で登録するとともに、キャンセル操作を受け付ける行先階登録部をさらに備え、登録階管理部は、行先階登録部でキャンセル操作を受け付けた場合に、個人ＩＤおよび個人が乗車した乗車階に基づく行先階の登録をキャンセルする。
また、登録階管理部は、個人ＩＤおよび個人が乗車した乗車階に基づく行先階の登録がキャンセルされた場合に、行先階登録部で個人によって行先階が登録されたときに、個人が登録した行先階を、ＩＤ別登録階管理データに集計する。
また、登録階管理部は、個人が登録した行先階を、ＩＤ別登録階管理データに集計した結果、最も多く登録されている行先階が変化した場合に、個人ＩＤおよび個人が乗車した乗車階に基づいて登録される行先階を更新する。
また、登録階管理部は、非接触タグ情報受信部で個人ＩＤが受信された場合に、ＩＤ別登録階管理データ中に該当する個人ＩＤがない場合に、当該個人の個人ＩＤに対応する集計データを、カウント値ゼロで作成する。
これにより、このエレベータをよく利用する利用者にとっては、よく利用する階が変化しても、利用者自身が非接触タグのデータの更新作業等を実施することなく、自動的に登録される階を、よく利用する階に変えることができる。また、初めてこのエレベータを利用する利用者にとっても、事前に自動的に登録する階をあらかじめ設定しておく必要がなくなり、利用者の利便性を向上させることができる。
【符号の説明】
【００６９】
１  非接触タグ情報受信部、２  行先階登録部、３  情報表示部、４  登録行先階管理部、５  エレベータ制御部、４１  登録階管理部、４２  ＩＤ読み取り部、４３  行先階受信部、４４  別登録階管理データ、４５  表示内容送信部、４６  行先階登録部。
【図１】
2015020895.tif 000003
【図２】
2015020895.tif 000004
【図３】
2015020895.tif 000005
【図４】
2015020895.tif 000006